(57)【特許請求の範囲】
【請求項１】
本体を支持する本体支持部と、
前記本体支持部に沿って、焦準方向に移動可能な可動体部と、
前記本体支持部に対して前記可動体部を移動させる移動機構と、
前記可動体部に対して焦準方向に移動可能な移動体部と、
第１の状態において、前記可動体部と前記移動体部との相対的な移動を規制し、第２の状態において、前記規制を解除する規制手段と
を備えることを特徴とする顕微鏡。
【請求項２】
前記可動体部と前記移動体部との間に介在され、焦準方向において、前記可動体部と前記移動体部とが互いに離れる方向に付勢される付勢部材
をさらに備えることを特徴とする請求項１に記載の顕微鏡。
【請求項３】
前記第１の状態は、焦準方向において、前記可動体部と前記移動体部とが最も離れた状態である
ことを特徴とする請求項１または２に記載の顕微鏡。
【請求項４】
標本が配置されるステージ面を有し、焦準方向に移動可能で、且つ該ステージ面と平行な下向きの下面を有する移動体部と、
該移動体部の前記下面と対向する上向きの上面を有し、且つ該上面と垂直な面にラック機構を有する可動体部と、
前記移動体部の下面と前記可動体部の上面との間に介在される付勢部材と、
前記可動体部の前記ラック機構と噛み合うピニオン歯車を有し、且つ該ピニオン歯車の回転に伴い前記可動体部が焦準方向に移動する本体支持部とを有し、
更に、前記移動体部は、固定部材を備え、前記可動体部は、前記固定部材が挿し込まれる穴部を備え、
前記固定部材が前記可動体部の穴部に挿し込まれた状態において、前記移動体部の下方への移動を制限する構成であることを特徴とする顕微鏡。
【発明の詳細な説明】
【０００１】
【発明の属する技術分野】
本発明は、顕微鏡に関し、特に、焦準機構を有する顕微鏡の構造に関する。
【０００２】
【従来の技術】
焦準機構を有する顕微鏡１０１について、図７を参照して説明する。図７は顕微鏡１０１の側面図であり、焦準機構部１１５の一部が断面で示されている。
【０００３】
顕微鏡１０１には、標本（図示せず）に焦点を合わせるための焦準機構部１１５が設けられている。移動部材１２０は、図示せぬ標本が配置されるステージ１２１と一体に構成されている。移動部材１２０は、可動部材１３０に対して焦準方向に移動可能で、ステージ面１２１ａと平行な下向きの下面１２３を有する。
【０００４】
可動部材１３０は、移動部材１２０の下面１２３と対向する上向きの上面１３０ａを有する。可動部材１３０には、上面１３０ａと垂直な面にラック１４０が設けられている。これにより、可動部材１３０は、支柱１１０に沿って、焦準方向に移動することができる。
【０００５】
支柱１１０には、ハンドル１５２とその回転軸１５０が取り付けられている。回転軸１５０には、可動部材１３０のラック１４０と噛み合うピニオン歯車１５１が設けられている。ハンドル１５２を回転させることにより、可動部材１３０を焦準方向に移動させることができる。
【０００６】
移動部材１２０の下面１２３と可動部材１３０の上面１３０ａとの間には、圧縮コイルばね１３１が介在されている。圧縮コイルばね１３１は、支柱１１０と移動部材１２０との間の摩擦抵抗、移動部材１２０と可動部材１３０との間の摺動抵抗等に抗して、ステージ１２１を上方へ持ち上げることができる弾性力を有する。従って、圧縮コイルばね１３１により、移動部材１２０と可動部材１３０とは、焦準方向において、互いに反対の方向（離れる方向）に付勢されている。
【０００７】
移動部材１２０は、面１２０ｃに上方制限部材１２２を備えているため、焦準方向において、可動部材１３０に対する上方への移動を制限されている。例えば、移動部材１２０の面１２０ｃと可動部材１３０の面１３０ｃとが同じ位置になったとき、上方制限部材２２により移動部材１２０は、
可動部材１３０に対してそれ以上、上方へ移動できない。
【０００８】
移動部材１２０は、焦準方向において、可動部材１３０に対する下方への移動を制限されている。例えば、観察者が手で圧縮コイルばね１３１の弾性力に抗する荷重Ｗをステージ１２１に加えた場合、移動部材１２０は、焦準方向において、下方へ移動する。そして、移動部材１２０の下面１２３と可動部材１３０の上面１３０ａとが当接したときに、移動部材２０は、
それ以上、下方へ移動できなくなる。
【０００９】
観察者は、接眼レンズ１７２を通して、ステージ１２１上に配置された標本の観察を行う。このとき、観察者は、標本にピントを合わせるため、対物レンズ１７１とステージ１２１との間隔を調整しなければならない。この調整は、支柱１１０に取り付けられたハンドル１５２を回転させることにより行われる。観察者が、ハンドル１５２を回転させることにより、可動部材１３０が焦準方向に移動し、対物レンズ１７１とステージ１２１との間隔が調整される。
【００１０】
【発明が解決しようとする課題】
ところで、前述したように、移動部材１２０の下面１２３と可動部材１３０の上面１３０ａとの間には、弾性力を有する圧縮コイルばね１３１が介在されている。
【００１１】
ここで、強力な弾性力を有する圧縮コイルばねを使用すると、観察者が、ステージ１２１を手で押し下げることが難しくなり、標本を交換しにくくなる。また、観察者がステージ１２１から手を離したときに、弾性力によりステージ１２１が勢いよく持ち上がり、標本が対物レンズ１７１に当たり、破損する恐れがある。
【００１２】
このため、あまり強力な弾性力を有する圧縮コイルばねを使用することはできず、実際には、前述した摩擦抵抗や摺動抵抗等に抗して、ステージ１２１を上方へゆっくり持ち上げることができる程度の弾性力を有する圧縮コイルばねが使用されている。
【００１３】
しかしながら、前述の摩擦抵抗や摺動抵抗等に抗して、ステージを上方へゆっくり持ち上げることができる程度の弾性力を有する圧縮コイルばねを使用すると、比較的軽い標本を観察する場合には問題がないが、金属標本のように、比較的重い標本を観察する場合、標本の重さに弾性力が対抗できず、ステージが自然に下方へ下がってしまうという課題があった。
【００１４】
そこで、本発明の目的は、焦準機構を有する顕微鏡において、金属標本のように比較的重い標本をステージに配置して観察する場合、標本の重さでステージが自然に下方へ下がるのを防止することができるようにした顕微鏡を提供することにある。
【００１５】
【課題を解決するための手段】
上記の目的を達成するために、本発明の一つの側面は、本体を支持する本体支持部（例えば、支柱１０）と、前記本体支持部に沿って、焦準方向に移動可能な可動体部（例えば、可動部材３０）と、前記本体支持部に対して前記可動体部を移動させる移動機構（例えば、ラック４０及びピニオン歯車５１）と、前記可動体部に対して焦準方向に移動可能な移動体部（例えば、移動部材２０）と、第１の状態において、前記可動体部と前記移動体部との相対的な移動を規制し、第２の状態において、前記規制を解除する規制手段（例えば、可動制限ねじ６０及び穴３２）とを備えることを特徴とする。
【００１６】
上記本発明によれば、規制手段により可動体部と移動体部との相対的な移動を規制するようにしたので、金属標本のように比較的重い標本をステージに配置して観察する場合、標本の重さでステージが自然に下方へ下がるのを防止することができる。
【００１７】
上記の目的を達成するために、本発明の別の側面は、標本が配置されるステージ面（例えば、ステージ面２１ａ）を有し、焦準方向に移動可能で、且つ該ステージ面と平行な下向きの下面（例えば、下面２３）を有する移動体部（例えば、移動部材２０）と、該移動体部の前記下面と対向する上向きの上面（例えば、上面３０ａ）を有し、且つ該上面と垂直な面にラック機構（例えば、ラック４０）を有する可動体部（例えば、可動部材３０）と、前記移動体部の下面と前記可動体部の上面との間に介在される付勢部材（例えば、圧縮コイルばね３１）と、前記可動体部の前記ラック機構と噛み合うピニオン歯車（例えば、ピニオン歯車５１）を有し、且つ該ピニオン歯車の回転に伴い前記可動体部が焦準方向に移動する本体支持部（例えば、支柱１０）とを有し、更に、前記移動体部は、固定部材（例えば、可動制限ねじ６０）を備え、前記可動体部は、前記固定部材が挿し込まれる穴部（例えば、穴３２）を備え、前記固定部材が前記可動体部の穴部に挿し込まれた状態において、前記移動体部の下方への移動を制限する構成であることを特徴とする。
【００１８】
上記本発明によれば、固定部材が可動体部の穴部に挿し込まれた状態において、移動体部の下方への移動を制限するようにしたので、金属標本のように比較的重い標本をステージに配置して観察する場合、標本の重さでステージが自然に下方へ下がるのを防止することができる。
【００１９】
【発明の実施の形態】
以下、図面を参照して本発明の実施の形態例を説明する。しかしながら、かかる実施の形態例が、本発明の技術的範囲を限定するものではない。
【００２０】
図１は、本発明を適用した顕微鏡１の側面図であり、その一部が断面で示されている。図１において、図７に示した従来の顕微鏡１０１と異なり、本発明の特徴となるのは、焦準機構部１５の構造部分である。即ち、本発明の特徴として、移動部材２０に可動制限ねじ６０が設けられ、可動部材３０に可動制限ねじ６０が挿し込まれるための穴３２が設けられている。それ以外の構成については、前述したのと同様であるので説明は省略する。
【００２１】
次に、本発明の特徴である焦準機構部１５の構造について、図２乃至図４を参照して説明する。図２は、図１の焦準機構部１５の拡大図である。図３は、図２の焦準機構部１５をＡ方向から見た断面図である。図４は、図２のＢ−Ｂ’線に沿う断面図である。
【００２２】
図２に示すように、移動部材２０に可動制限ねじ６０が設けられ、可動部材３０に可動制限ねじ６０が挿し込まれるための穴３２が設けられている。図２に示すように、比較的軽い標本をステージ２１に配置して観察する場合、可動制限ねじ６０は穴３２に挿し込まれない。これは、標本が軽いため、標本の重さでステージ２１が下方へ下がる恐れがないからである。従って、移動部材２０は、可動部材３０に対して焦準方向に移動することができる。このように、比較的軽い標本を観察する場合は、可動制限ねじ６０が穴３２に挿し込まれないため、図７に示した従来の構造と実質的には違いがなくなる。
【００２３】
これに対し、金属標本のように、比較的重い標本をステージ２１に配置して観察する場合、可動制限ねじ６０が穴３２に挿し込まれる。これにより、移動部材２０は、可動部材３０と一体となり、可動部材３０に対して焦準方向に移動することができなくなる。その結果、標本の重さでステージ２１が自然に下方へ下がるのを防止することができる。
【００２４】
図３に示すように、支柱１０には、焦準方向に延びるＵ字型のガイド溝１１が形成されている。ガイド溝１１の２つの対向する内壁部１１ａ及び１１ｂには、焦準方向に延びるＶ溝１２ａ及び１２ｂが、それぞれ形成されている。一方、移動部材２０の外壁部２０ａ及び２０ｂには、Ｖ溝１２ａ及び１２ｂに対向し、焦準方向に延びるＶ溝２５ａ及び２５ｂが、それぞれ形成されている。ガイド溝１１に形成されたＶ溝１２ａ及び１２ｂと、移動部材２０に形成されたＶ溝２５ａ及び２５ｂとの間には、複数のボール７０が配置されている。これらＶ溝１２ａ及び１２ｂ、Ｖ溝２５ａ及び２５ｂ、ボール７０とで直線案内機構が形成されている。この直線案内機構によって移動部材２０が支柱１０に沿って焦準方向に移動する。
【００２５】
また、移動部材２０には、焦準方向に延びるガイド溝２６が形成されている。可動部材３０は、ガイド溝２６と摺動可能なように配置されている。可動部材３０の支柱１０側には、ラック４０が形成されている。
【００２６】
さらに、移動部材２０の下側には、図４に示すように、ボール７０の脱落を防止するため、突起部２４が設けられている。
【００２７】
次に、本発明を適用した顕微鏡１の使用方法について、比較的軽い標本を観察する場合と比較的重い標本を観察する場合とに分けて説明する。
【００２８】
先ず、比較的軽い標本を観察する場合について説明する。この場合は、ステージ２１に標本を配置しても、その重さでステージ２１が下方へ下がる恐れがないため、図２に示すように、可動制限ねじ６０を穴３２に挿し込む必要はない。
【００２９】
図２は、ステージ２１上に標本が配置された後、圧縮コイルばね３１の弾性力により、ステージ２１が上方へ持ち上げられた状態を示している。観察者がステージ２１を手で押し下げ、標本を配置した後に、手をステージ２１から離すと、圧縮コイルばね３１の弾性力により移動部材２０が上方へゆっくり移動する。そして、移動部材２０の面２０ｃと可動部材３０の面３０ｃとが同じ位置になったとき、上方制限部材２２により、移動部材２０は、可動部材３０に対してこれ以上、上方へ移動できなくなる。この状態のときに、観察者が、ハンドル５２を回転させ、標本にピントが合うように、可動部材３０を焦準方向に移動させる。標本にピントが合ったら観察を開始する。
【００３０】
さらに、図２の状態から標本を交換する場合について、図５を参照して説明する。観察者が、ステージ２１に対して圧縮コイルばね３１の弾性力に抗する荷重Ｗを加えると、図５に示すように、移動部材２０は下方へ押し下げられる。そして、移動部材２０の下面２３と可動部材３０の上面３０ａとが当接したときに、移動部材２０は、それ以上、下方へ移動できなくなる。このとき、対物レンズ７１とステージ２１の間隔は十分大きくなっているので、標本を交換することができる。
【００３１】
標本を交換後、ステージ２１を押す力Ｗをゆるめれば、移動部材２０は、圧縮コイルばね３１の弾性力により再び上昇し、図２の状態で停止する。この位置は、最初に標本に焦準を合わせた位置である。
【００３２】
次に、金属標本のように、比較的重い標本を観察する場合について、図６を参照して説明する。この場合は、図６に示すように、移動部材２０の可動制限ねじ６０を可動部材３０の穴３２に挿し込む。ここで、可動制限ねじ６０による固定は、移動部材２０と可動部材３０とが焦準方向において、最も離れた状態のときに行われる。このように、可動制限ねじ６０を穴３２に挿し込むことにより、移動部材２０は、可動部材３０と一体となり、可動部材３０に対して焦準方向に移動することができなくなる。その結果、標本の重さでステージ２１が自然に下方へ下がるのを防止することができる。
【００３３】
図６に示す状態では、可動制限ねじ６０により、移動部材２０が可動部材３０に固定されているため、観察者がステージ２１を手で押し下げることはできない。このため、観察者は、ハンドル５２を回転させて、所望の位置まで可動部材３０を移動させる。対物レンズ７１とステージ２１との間が十分空いたら、観察者は、標本をステージ２１上に配置する。そして、観察者は、再びハンドル５２を回転させて、標本にピントが合うように可動部材３０を焦準方向に移動させる。標本にピントが合ったら、観察者は標本の観察を開始する。
【００３４】
以上述べたように、本発明を適用した顕微鏡１は、可動制限ねじ６０により移動部材２０を可動部材３０に固定できるような構造としたので、標本の重さで観察ができないような場合を減らすことができる。即ち、本発明を適用した顕微鏡１は、多種類の標本に対応することができる。
【００３５】
尚、本実施の形態において、可動部材３０と移動部材２０との相対的な移動を制限するために、可動制限ねじ６０を利用するようにしたが、勿論、これ以外の例えば、ピン等を利用するようにしても良い。また、可動部材３０と移動部材２０とが凹凸状に嵌まり合う構造を有していても良い。
【００３６】
さらに、本発明の保護範囲は、上記の実施の形態に限定されず、特許請求の範囲に記載された発明とその均等物に及ぶものである。
【００３７】
【発明の効果】
以上の如く、上記本発明によれば、規制手段が可動体部と移動体部との相対的な移動を規制するようにしたので、金属標本のように比較的重い標本をステージに配置して観察する場合に、標本の重さでステージが自然に下方へ下がるのを防止することができる。
【図面の簡単な説明】
【図１】本発明を適用した顕微鏡１の側面図で、その一部を断面で示している。
【図２】図１の焦準機構部１５の拡大図である。
【図３】図２のＡ矢視断面図である。
【図４】図２のＢ−Ｂ’線に沿う断面図である。
【図５】図２のステージ２１に荷重Ｗを加えてステージ２１を押し下げた状態を示す図である。
【図６】図２において、可動制限ねじ６０を穴３２に嵌め込んだ状態を示す図である。
【図７】従来の顕微鏡１０１の側面図で、その一部を断面で示している。
【符号の説明】
１  顕微鏡
１０  支柱
１１  ガイド溝
１１ａ，１１ｂ  内壁部
１２ａ，１２ｂ  Ｖ溝
１５  焦準機構部
２０  移動部材
２０ａ，２０ｂ  外壁部
２０ｃ，３０ｃ  面
２１  ステージ
２１ａ  ステージ面
２２  上方制限部材
２３  下面
２４  突起部
２５ａ，２５ｂ  Ｖ溝
２６  ガイド溝
３０  可動部材
３１  圧縮コイルばね
３２  穴
４０  ラック
５０  回転軸
５１  ピニオン歯車
５２  ハンドル
６０  可動制限ねじ
７０  ボール
７１  対物レンズ
７２  接眼レンズ
【図１】
0004427845.tif 000002
【図２】
0004427845.tif 000003
【図３】
0004427845.tif 000004
【図４】
0004427845.tif 000005
【図５】
0004427845.tif 000006
【図６】
0004427845.tif 000007
【図７】
0004427845.tif 000008